(57)【要約】  【課題】公式サイトか一般サイトに拘わらず、それらサイトにてシームレスなサービスを提供することを可能とし、また、ＭＮＰに伴う弊害を回避することを可能とし、さらにはコンテンツのライセンス販売も可能にする。  【解決手段】統合ＩＤ登録サーバ３は、各々の携帯電話ユーザに与えられたユーザ識別情報（ＵＩＤ）および携帯電話毎に付けられた端末識別情報（ＨＩＤ）とは別にサービス対象の携帯電話ユーザ毎に固有の統合識別情報（統合ＩＤ）を登録する。公式サイト２３や一般サイト２５といった携帯電話サイトで同一ユーザに提供されたサイトサービスの履歴情報が、統合ＩＤ管理サーバ５に集められて、ＵＩＤ、ＨＩＤおよび統合ＩＤと関連づけて一括管理される。キャリア変更時は、統合ＩＤと共に新しいＵＩＤが携帯電話１１から受け付けられて、キャリア変更前のＵＩＤが更新される。【選択図】  図２
2008084122.tif 000002
【特許請求の範囲】
【請求項１】
各々の携帯電話ユーザに与えられたユーザ識別情報（ＵＩＤ）および携帯電話毎に付けられた端末識別情報（ＨＩＤ）とは別にサービス対象の前記携帯電話ユーザ毎に固有の統合識別情報（統合ＩＤ）を登録する統合ＩＤ登録手段と、
前記統合ＩＤ登録手段によって登録された前記統合ＩＤを前記ＵＩＤおよび前記ＨＩＤと共に管理する統合ＩＤ管理手段と、
を備え、
前記統合ＩＤ管理手段は、
前記携帯電話にサイトサービスを提供する携帯電話サイトと通信するサイト通信手段と、
前記ＵＩＤ、前記ＨＩＤおよび前記統合ＩＤと関連づけて前記携帯電話サイトで前記携帯電話に提供されたサイトサービスの履歴情報を記憶するＩＤ履歴記憶手段と、
前記携帯電話サイトで前記携帯電話に提供されたサイトサービスの履歴情報をサービス提供先の前記携帯電話の前記ＵＩＤ、前記ＨＩＤおよび前記統合ＩＤのうちの少なくとも一のＩＤと共に受信すると、受信した前記サイトサービスの履歴情報を前記ＩＤ履歴記憶手段に書き込む履歴書込手段と、
前記携帯電話サイトから前記ＵＩＤ、前記ＨＩＤおよび前記統合ＩＤのうちの少なくとも一のＩＤを含む履歴送信要求が受信されると、前記履歴送信要求に含まれる前記少なくとも一のＩＤに該当する履歴情報を前記ＩＤ履歴記憶手段から検索して前記携帯電話サイトに提供する履歴提供手段と、
を備えたことを特徴とする統合ＩＤサービス提供システム。
【請求項２】
前記統合ＩＤ登録手段は、前記携帯電話サイトからのリンクが張られた統合ＩＤ登録サイトを提供するように構成され、前記携帯電話サイトにおいて前記リンクが選択されたときに前記携帯電話と接続されて、前記統合ＩＤ登録サイトにて統合ＩＤ登録サービスを前記携帯電話に提供することを特徴とする請求項１に記載の統合ＩＤサービス提供システム。
【請求項３】
前記統合ＩＤ登録手段は、前記統合ＩＤが未登録である未登録ユーザの前記携帯電話の前記ＵＩＤおよび前記ＨＩＤの少なくとも一方を含む統合ＩＤ登録要求を受け付けて前記統合ＩＤを新規に登録する統合ＩＤ新規登録手段を含むことを特徴とする請求項１または２に記載の統合ＩＤサービス提供システム。
【請求項４】
前記統合ＩＤ登録手段は、前記統合ＩＤが前記ＵＩＤおよび前記ＨＩＤの一方と共に既に登録された既登録ユーザについて、前記ＵＩＤおよび前記ＨＩＤの他方を受け付けて、既登録の前記統合ＩＤと関連づけて登録する関連ＩＤ追加登録手段を含むことを特徴とする請求項１〜３のいずれかに記載の統合ＩＤサービス提供システム。
【請求項５】
前記統合ＩＤ登録手段は、同一キャリア内で携帯電話の機種変更が行われたときに、機種変更後の携帯電話の前記ＨＩＤを前記統合ＩＤと共に受け付けて、前記統合ＩＤに関連づけられた機種変更前の前記ＨＩＤを更新する関連ＩＤ変更登録手段を含むことを特徴とする請求項１〜４のいずれかに記載の統合ＩＤサービス提供システム。
【請求項６】
前記関連ＩＤ変更登録手段は、異なるキャリアへと携帯電話が変更されたときに、キャリア変更後の携帯電話の前記ＵＩＤを前記統合ＩＤと共に受け付けて、前記統合ＩＤに関連づけて登録されたキャリア変更前の前記ＵＩＤを更新することを特徴とする請求項５に記載の統合ＩＤサービス提供システム。
【請求項７】
前記統合ＩＤ管理手段は、前記ＵＩＤ、前記ＨＩＤおよび前記統合ＩＤのうちの少なくとも一のＩＤを含むＩＤ送信要求を前記携帯電話サイトから受信すると、受信された前記ＩＤ送信要求に含まれる前記少なくとも一のＩＤと前記ＩＤ履歴記憶手段にて関連づけられた前記少なくとも一のＩＤ以外のＩＤのうち少なくとも一方のＩＤを返信するＩＤ提供手段を有することを特徴とする請求項１〜６のいずれかに記載の統合ＩＤサービス提供システム。
【請求項８】
前記ＩＤ履歴記憶手段に記憶される前記履歴情報は、前記携帯電話サイトがコンテンツ配信サイトとして提供したコンテンツを一意に特定できるコンテンツＩＤを含むことを特徴とする請求項１〜７のいずれかに記載の統合ＩＤサービス提供システム。
【請求項９】
前記サイト通信手段は、パーソナルコンピュータ（ＰＣ）にサイトサービスを提供するＰＣサイトとも通信を行い、
前記履歴提供手段は、前記ＰＣサイトから前記統合ＩＤを含む履歴送信要求が送信されると、前記履歴送信要求に含まれる前記統合ＩＤに該当する履歴情報を前記ＩＤ履歴記憶手段から検索して前記ＰＣサイトに提供することを特徴とする請求項１〜８のいずれかに記載の統合ＩＤサービス提供システム。
【請求項１０】
前記履歴書込手段は、前記ＰＣサイトで前記携帯電話のユーザが操作する前記ＰＣに提供されたサイトサービスの履歴情報が前記統合ＩＤと共に受信されると、受信された前記サイトサービスの履歴情報を前記ＩＤ履歴記憶手段に書き込むことを特徴とする請求項９に記載の統合ＩＤサービス提供システム。
【請求項１１】
前記ＩＤ履歴記憶手段に記憶される前記履歴情報は、前記ＰＣサイトがコンテンツ配信サイトとして提供したコンテンツを一意に特定できるコンテンツＩＤを含むことを特徴とする請求項９または１０に記載の統合ＩＤサービス提供システム。
【請求項１２】
前記履歴書込手段は、第１の携帯電話サイトで提供された第１のサイトサービスの履歴情報を前記ＵＩＤ、前記ＨＩＤおよび前記統合ＩＤのうちの少なくとも一のＩＤと共に受信して前記ＩＤ履歴記憶手段に書き込み、
前記履歴提供手段は、前記第１の携帯電話サイトとリンクが張られた第２のサイトサービスを提供する第２の携帯電話サイトから前記ＵＩＤ、前記ＨＩＤおよび前記統合ＩＤのうちの少なくとも一のＩＤを含む履歴送信要求を受け付けて、前記履歴送信要求に含まれる前記少なくとも一のＩＤに該当し前記ＩＤ履歴記憶手段に記憶された前記第１のサイトサービスの履歴情報を検索して前記第２の携帯電話サイトに提供することを特徴とする請求項１〜１１のいずれかに記載の統合ＩＤサービス提供システム。
【請求項１３】
前記履歴書込手段は、前記携帯電話サイトで提供された第１のサイトサービスの履歴情報を前記ＵＩＤ、前記ＨＩＤおよび前記統合ＩＤのうちの少なくとも一のＩＤと共に受信して前記ＩＤ履歴記憶手段に書き込み、
前記履歴提供手段は、第２のサイトサービスを提供する前記ＰＣサイトから前記統合ＩＤを含む前記履歴送信要求を受け付けて、前記統合ＩＤに該当し前記携帯電話サイトで提供された前記第１のサイトサービスの履歴情報を検索して前記ＰＣサイトに提供することを特徴とする請求項９〜１１のいずれかに記載の統合ＩＤサービス提供システム。
【請求項１４】
各々の携帯電話ユーザに与えられたユーザ識別情報（ＵＩＤ）および携帯電話毎に付けられた端末識別情報（ＨＩＤ）とは別にサービス対象の前記携帯電話ユーザ毎に固有の統合識別情報（統合ＩＤ）を登録し、登録された前記統合ＩＤを前記ＵＩＤおよび前記ＨＩＤと共に統合ＩＤ管理サーバにおいて管理する統合ＩＤサービス提供方法であって、
前記統合ＩＤ管理サーバは、
前記携帯電話にサイトサービスを提供する携帯電話サイトと通信し、
前記ＵＩＤ、前記ＨＩＤおよび前記統合ＩＤと関連づけて前記携帯電話サイトで前記携帯電話に提供されたサイトサービスの履歴情報をＩＤ履歴記憶手段に記憶させ、
前記携帯電話サイトで前記携帯電話に提供されたサイトサービスの履歴情報をサービス提供先の前記携帯電話の前記ＵＩＤ、前記ＨＩＤおよび前記統合ＩＤのうちの少なくとも一のＩＤと共に受信すると、受信した前記サイトサービスの履歴情報を前記ＩＤ履歴記憶手段に書き込み、
前記携帯電話サイトから前記ＵＩＤ、前記ＨＩＤおよび前記統合ＩＤのうちの少なくとも一のＩＤを含む履歴送信要求が受信されると、前記履歴送信要求に含まれる前記少なくとも一のＩＤに該当する履歴情報を前記ＩＤ履歴記憶手段から検索して前記携帯電話サイトに提供することを特徴とする統合ＩＤサービス提供方法。
【請求項１５】
各々の携帯電話ユーザに与えられたユーザ識別情報（ＵＩＤ）および携帯電話毎に付けられた端末識別情報（ＨＩＤ）とは別にサービス対象の前記携帯電話ユーザ毎に登録された固有の統合識別情報（統合ＩＤ）を管理する統合ＩＤ管理手段の処理をコンピュータに実行させるプログラムであって、
前記携帯電話にサイトサービスを提供する携帯電話サイトと通信し、
前記ＵＩＤ、前記ＨＩＤおよび前記統合ＩＤと関連づけて前記携帯電話サイトで前記携帯電話に提供されたサイトサービスの履歴情報をＩＤ履歴記憶手段に記憶させ、
前記携帯電話サイトで前記携帯電話に提供されたサイトサービスの履歴情報をサービス提供先の前記携帯電話の前記ＵＩＤ、前記ＨＩＤおよび前記統合ＩＤのうちの少なくとも一のＩＤと共に受信すると、受信した前記サイトサービスの履歴情報を前記ＩＤ履歴記憶手段に書き込み、
前記携帯電話サイトから前記ＵＩＤ、前記ＨＩＤおよび前記統合ＩＤのうちの少なくとも一のＩＤを含む履歴送信要求が受信されると、前記履歴送信要求に含まれる前記少なくとも一のＩＤに該当する履歴情報を前記ＩＤ履歴記憶手段から検索して前記携帯電話サイトに提供する処理を前記コンピュータに実行させせることを特徴とするプログラム。
【発明の詳細な説明】
【技術分野】
【０００１】
本発明は、携帯電話ユーザに対してネットワーク経由でサービスを提供する携帯電話サイトなどのために情報管理サービスを提供するシステムに関し、特に、統合ＩＤを使った履歴情報管理サービスを提供する統合ＩＤサービス提供システムに関する。
【背景技術】
【０００２】
従来より、インターネット接続機能を有する携帯電話が普及し、携帯電話に対するサイトサービスの提供が盛んになっており、多様な携帯電話サイトが開設されている。携帯電話サイトは、例えば、着信メロディなどの各種のコンテンツを携帯電話に提供したり、ＳＮＳ（ソーシャルネットワーキングサイト）のサービスを携帯電話に提供する。
【０００３】
携帯電話サイトは、サービス提供処理の過程で、サービス提供先の携帯電話を識別するために識別情報（ＩＤ）を使用する。識別情報は典型的には携帯電話サイトの会員管理に使われる。
【０００４】
従来の公式サイトでは、識別情報として、ユーザ識別情報（ＵＩＤ）が使われている。ＵＩＤは、携帯電話のユーザ毎に割り当てられた識別情報であり、キャリア（携帯電話会社）の携帯電話局で管理されている。携帯電話が公式サイトにアクセスしようとすると、ＵＩＤが携帯電話局から公式サイトに通知される。
【０００５】
また、携帯電話サイトとしては、上記の公式サイト以外の一般サイト（勝手サイトともいわれる）も普及してきている。一般サイトでは、公式サイトと異なり携帯電話局からＵＩＤの通知を受けられないため、公式サイトのようにＵＩＤに依存した会員管理ができない。そこで、一般サイトは、携帯電話から端末識別情報（ＨＩＤ）を受け取るように構成されている。ＨＩＤは、各々の携帯電話に埋め込まれた物理的な識別情報であり、個々の携帯電話で異なっている。
【０００６】
また、ＵＩＤに依存しない別の従来技術が、特許文献１に開示されている。同文献では、ＩＤ発生用の専用ソフトウエアが携帯電話にインストールされ、専用ソフトウエア毎に固有のＩＤが発行される。このＩＤを用いて、携帯電話は、公式サイトにも一般サイトにもアクセスする。
【特許文献１】特開２００３−３０８２９９号公報
【発明の開示】
【発明が解決しようとする課題】
【０００７】
上述したように、従来は、公式サイトが主にＵＩＤを使用し、一般サイトがＨＩＤを使用しており、両サイトがそれぞれ異なる種類のＩＤを使用して別々に会員管理を行っている。したがって、仮に同一ユーザが公式サイトと一般サイトに入会していたとしても、各々のサイトでは、同一ユーザであることの認識ができなかった。そのため、公式サイトと一般サイトに跨ったシームレスで総合的なサービスを提供するといったことも容易でなかった。
【０００８】
図１３は、上記の公式サイトと一般サイトの状況を例示している。図１３の例では、同一ユーザが、公式サイト（着信メロディ配信サイト）と一般サイト（ＳＮＳ）に入会している。しかし、これら公式サイトと一般サイトに関連性が無いため、両サイトは、お互いのサイトで同一ユーザに提供されているサービスを把握できず、したがって両サイトでのシームレスなサービスも不可能であった。
【０００９】
また、周知のようにＭＮＰ（Mobile Number Portability）が始まろうとしており、ＭＮＰでは、携帯電話のキャリアを変更しても電話番号を引き継ぐことができ、ユーザの利便性の向上が期待されている。しかし、ＭＮＰでは、電話番号を引き継ぐことはできても、ＵＩＤを引き継ぐことはできないので、公式サイトであっても、同一ユーザのキャリア変更を認識できない。そのため、例えば、着信メロディ等のコンテンツを公式サイトで購入後、キャリアを変更してしまうと、再度当該サイトへの入会手続きが必要な上、コンテンツも再購入しなければならない。この例に見られるようなサイト再入会や重複サービスといった弊害がＭＮＰ導入に伴って生じる可能性があるが、こうした弊害は極力回避することが望まれる。
【００１０】
また、最近、マルチメディアやコンテンツ配信が普及する中で、音楽等の同一の対象を複数種類の形式のコンテンツで提供することが一般化している。例えば、一つの曲が、通常の楽曲データと着信メロディの２つの形式のコンテンツで提供される。このような場合に、従来は複数のコンテンツが個別に販売されていたが、今後は、コンテンツの代わりにライセンスを販売することが考えられる。上記の例を使うと、ライセンス販売では、楽曲データのダウンロード段階でライセンスが販売される。その後に着信メロディをダウンロードする段階では、ライセンスを購入済みなので、様々な形式（例えばＭＰ３、ＷＭＡ等）で着信メロディをダウンロードできる。このようなライセンス販売を行うことで、ユーザのニーズに合ったサービスを提供できると考えられる。しかしながら、現状では、上述のように各サイトが別々に会員を管理しているので、複数のサイトで同一ユーザに同じライセンス対象のコンテンツが提供されても、そのことを把握できず、したがって、ライセンスそのものの販売といったことはできなかった。
【００１１】
上記の各種の問題は、公式サイトと一般サイトで共通のＩＤを利用する特許文献１の技術においても解決されるものではない。特許文献１の技術では、会員管理は各サイトで別々に行われており、したがって、上述したサイト間に跨ったサービスはできない。また、ＭＮＰに対応することもできず、上述のライセンス販売にも適合していない。
【００１２】
本発明は上記背景の下でなされたものであり、その目的は、公式サイトか一般サイトに拘わらず、それらサイトにてシームレスなサービスを提供することを可能とし、また、ＭＮＰに伴う弊害を回避することを可能とし、さらにはライセンス販売も可能にする技術を提供することにある。
【課題を解決するための手段】
【００１３】
上記の目的を達成するために、本発明は、従来はなかった新規のシステムとして、公式サイト、一般サイトに拘わらず、入会している会員に関する情報を統合ＩＤを用いて一括管理する統合ＩＤサービス提供システムを提供する。
【００１４】
本発明の統合ＩＤサービス提供システムは、各々の携帯電話ユーザに与えられたユーザ識別情報（ＵＩＤ）および携帯電話毎に付けられた端末識別情報（ＨＩＤ）とは別にサービス対象の前記携帯電話ユーザ毎に固有の統合識別情報（統合ＩＤ）を登録する統合ＩＤ登録手段と、前記統合ＩＤ登録手段によって登録された前記統合ＩＤを前記ＵＩＤおよび前記ＨＩＤと共に管理する統合ＩＤ管理手段と、を備え、前記統合ＩＤ管理手段は、前記携帯電話にサイトサービスを提供する携帯電話サイトと通信するサイト通信手段と、前記ＵＩＤ、前記ＨＩＤおよび前記統合ＩＤと関連づけて前記携帯電話サイトで前記携帯電話に提供されたサイトサービスの履歴情報を記憶するＩＤ履歴記憶手段と、前記携帯電話サイトで前記携帯電話に提供されたサイトサービスの履歴情報をサービス提供先の前記携帯電話の前記ＵＩＤ、前記ＨＩＤおよび前記統合ＩＤのうちの少なくとも一のＩＤと共に受信すると、受信した前記サイトサービスの履歴情報を前記ＩＤ履歴記憶手段に書き込む履歴書込手段と、前記携帯電話サイトから前記ＵＩＤ、前記ＨＩＤおよび前記統合ＩＤのうちの少なくとも一のＩＤを含む履歴送信要求が受信されると、前記履歴送信要求に含まれる前記少なくとも一のＩＤに該当する履歴情報を前記ＩＤ履歴記憶手段から検索して前記携帯電話サイトに提供する履歴提供手段と、を備えている。
【００１５】
また、前記統合ＩＤ登録手段は、前記携帯電話サイトからのリンクが張られた統合ＩＤ登録サイトを提供するように構成され、前記携帯電話サイトにおいて前記リンクが選択されたときに前記携帯電話と接続されて、前記統合ＩＤ登録サイトにて統合ＩＤ登録サービスを前記携帯電話に提供してよい。
【００１６】
また、前記統合ＩＤ登録手段は、前記統合ＩＤが未登録である未登録ユーザの前記携帯電話の前記ＵＩＤおよび前記ＨＩＤの少なくとも一方を含む統合ＩＤ登録要求を受け付けて前記統合ＩＤを新規に登録する統合ＩＤ新規登録手段を含んでよい。
【００１７】
また、前記統合ＩＤ登録手段は、前記統合ＩＤが前記ＵＩＤおよび前記ＨＩＤの一方と共に既に登録された既登録ユーザについて、前記ＵＩＤおよび前記ＨＩＤの他方を受け付けて、既登録の前記統合ＩＤと関連づけて登録する関連ＩＤ追加登録手段を含んでよい。
【００１８】
また、前記統合ＩＤ登録手段は、同一キャリア内で携帯電話の機種変更が行われたときに、機種変更後の携帯電話の前記ＨＩＤを前記統合ＩＤと共に受け付けて、前記統合ＩＤに関連づけられた機種変更前の前記ＨＩＤを更新する関連ＩＤ変更登録手段を含んでよい。
【００１９】
また、前記関連ＩＤ変更登録手段は、異なるキャリアへと携帯電話が変更されたときに、キャリア変更後の携帯電話の前記ＵＩＤを前記統合ＩＤと共に受け付けて、前記統合ＩＤに関連づけて登録されたキャリア変更前の前記ＵＩＤを更新してよい。
【００２０】
また、前記統合ＩＤ管理手段は、前記ＵＩＤ、前記ＨＩＤおよび前記統合ＩＤのうちの少なくとも一のＩＤを含むＩＤ送信要求を前記携帯電話サイトから受信すると、受信された前記ＩＤ送信要求に含まれる前記少なくとも一のＩＤと前記ＩＤ履歴記憶手段にて関連づけられた前記少なくとも一のＩＤ以外のＩＤのうち少なくとも一方のＩＤを返信するＩＤ提供手段を有してよい。
【００２１】
また、前記ＩＤ履歴記憶手段に記憶される前記履歴情報は、前記携帯電話サイトがコンテンツ配信サイトとして提供したコンテンツを一意に特定できるコンテンツＩＤを含んでよい。
【００２２】
また、前記サイト通信手段は、パーソナルコンピュータ（ＰＣ）にサイトサービスを提供するＰＣサイトとも通信を行ってよく、前記履歴提供手段は、前記ＰＣサイトから前記統合ＩＤを含む履歴送信要求が送信されると、前記履歴送信要求に含まれる前記統合ＩＤに該当する履歴情報を前記ＩＤ履歴記憶手段から検索して前記ＰＣサイトに提供してよい。
【００２３】
また、前記履歴書込手段は、前記ＰＣサイトで前記携帯電話のユーザが操作する前記ＰＣに提供されたサイトサービスの履歴情報が前記統合ＩＤと共に受信されると、受信された前記サイトサービスの履歴情報を前記ＩＤ履歴記憶手段に書き込んでよい。
【００２４】
また、前記ＩＤ履歴記憶手段に記憶される前記履歴情報は、前記ＰＣサイトがコンテンツ配信サイトとして提供したコンテンツを一意に特定できるコンテンツＩＤを含んでよい。
【００２５】
また、前記履歴書込手段は、第１の携帯電話サイトで提供された第１のサイトサービスの履歴情報を前記ＵＩＤ、前記ＨＩＤおよび前記統合ＩＤのうちの少なくとも一のＩＤと共に受信して前記ＩＤ履歴記憶手段に書き込んでよく、前記履歴提供手段は、前記第１の携帯電話サイトとリンクが張られた第２のサイトサービスを提供する第２の携帯電話サイトから前記ＵＩＤ、前記ＨＩＤおよび前記統合ＩＤのうちの少なくとも一のＩＤを含む履歴送信要求を受け付けて、前記履歴送信要求に含まれる前記少なくとも一のＩＤに該当し前記ＩＤ履歴記憶手段に記憶された前記第１のサイトサービスの履歴情報を検索して前記第２の携帯電話サイトに提供してよい。
【００２６】
また、前記履歴書込手段は、前記携帯電話サイトで提供された第１のサイトサービスの履歴情報を前記ＵＩＤ、前記ＨＩＤおよび前記統合ＩＤのうちの少なくとも一のＩＤと共に受信して前記ＩＤ履歴記憶手段に書き込んでよく、前記履歴提供手段は、第２のサイトサービスを提供する前記ＰＣサイトから前記統合ＩＤを含む前記履歴送信要求を受け付けて、前記統合ＩＤに該当し前記携帯電話サイトで提供された前記第１のサイトサービスの履歴情報を検索して前記ＰＣサイトに提供してよい。
【００２７】
本発明は、上記の統合ＩＤサービス提供システムの態様に限定されなくてよい。その他の装置、方法、プログラム、プログラム記録媒体等の態様が本発明の範囲に含まれ得る。
【００２８】
本発明の別の態様は、例えば、各々の携帯電話ユーザに与えられたユーザ識別情報（ＵＩＤ）および携帯電話毎に付けられた端末識別情報（ＨＩＤ）とは別にサービス対象の前記携帯電話ユーザ毎に固有の統合識別情報（統合ＩＤ）を登録し、登録された前記統合ＩＤを前記ＵＩＤおよび前記ＨＩＤと共に統合ＩＤ管理サーバにおいて管理する統合ＩＤサービス提供方法であって、前記統合ＩＤ管理サーバは、前記携帯電話にサイトサービスを提供する携帯電話サイトと通信し、前記ＵＩＤ、前記ＨＩＤおよび前記統合ＩＤと関連づけて前記携帯電話サイトで前記携帯電話に提供されたサイトサービスの履歴情報をＩＤ履歴記憶手段に記憶させ、前記携帯電話サイトで前記携帯電話に提供されたサイトサービスの履歴情報をサービス提供先の前記携帯電話の前記ＵＩＤ、前記ＨＩＤおよび前記統合ＩＤのうちの少なくとも一のＩＤと共に受信すると、受信した前記サイトサービスの履歴情報を前記ＩＤ履歴記憶手段に書き込み、前記携帯電話サイトから前記ＵＩＤ、前記ＨＩＤおよび前記統合ＩＤのうちの少なくとも一のＩＤを含む履歴送信要求が受信されると、前記履歴送信要求に含まれる前記少なくとも一のＩＤに該当する履歴情報を前記ＩＤ履歴記憶手段から検索して前記携帯電話サイトに提供する。この態様においても、上述の統合ＩＤサービス提供システムの態様で説明した各種要素を加えることができる。
【００２９】
また、本発明の別の態様は、各々の携帯電話ユーザに与えられたユーザ識別情報（ＵＩＤ）および携帯電話毎に付けられた端末識別情報（ＨＩＤ）とは別にサービス対象の前記携帯電話ユーザ毎に登録された固有の統合識別情報（統合ＩＤ）を管理する統合ＩＤ管理手段の処理をコンピュータに実行させるプログラムであって、前記携帯電話にサイトサービスを提供する携帯電話サイトと通信し、前記ＵＩＤ、前記ＨＩＤおよび前記統合ＩＤと関連づけて前記携帯電話サイトで前記携帯電話に提供されたサイトサービスの履歴情報をＩＤ履歴記憶手段に記憶させ、前記携帯電話サイトで前記携帯電話に提供されたサイトサービスの履歴情報をサービス提供先の前記携帯電話の前記ＵＩＤ、前記ＨＩＤおよび前記統合ＩＤのうちの少なくとも一のＩＤと共に受信すると、受信した前記サイトサービスの履歴情報を前記ＩＤ履歴記憶手段に書き込み、前記携帯電話サイトから前記ＵＩＤ、前記ＨＩＤおよび前記統合ＩＤのうちの少なくとも一のＩＤを含む履歴送信要求が受信されると、前記履歴送信要求に含まれる前記少なくとも一のＩＤに該当する履歴情報を前記ＩＤ履歴記憶手段から検索して前記携帯電話サイトに提供する処理を前記コンピュータに実行させせる。この態様においても、上述の統合ＩＤサービス提供システムの態様で説明した各種要素を加えることができる。
【発明の効果】
【００３０】
本発明によれば、公式サイトや一般サイトに拘わらず、入会している会員に関するＩＤや履歴情報を一括管理することができ、これにより、サイト間でシームレスなサービスを提供することが可能となり、また、ＭＮＰに伴う弊害を回避することが可能となり、さらにはライセンス販売も可能となる。
【発明を実施するための最良の形態】
【００３１】
以下、本発明の好適な実施の形態に係る統合ＩＤサービス提供システムについて、図面を参照して説明する。
【００３２】
図１は、本実施の形態に係る統合ＩＤサービス提供システム１をサービス提供対象の各種構成と共に示しており、図２は、統合ＩＤサービス提供システム１の構成を示している。
【００３３】
まず、図１を参照して、本実施の形態の統合ＩＤサービス提供システム１に関連する各種構成を説明する。図１において、携帯電話１１は、基地局１３、携帯電話網１５および携帯電話局１７を介してインターネット１９に接続される。また、携帯電話ユーザ（以下、単にユーザという）のパーソナルコンピュータ（以下、ＰＣという）２１もインターネット１９に接続される。
【００３４】
インターネット１９には、さらに、公式サイト２３、一般サイト２５およびＰＣサイト２７が接続される。公式サイト２３および一般サイト２５は携帯電話サイトであり、インターネット１９を介して携帯電話１３にサイトサービスを提供する。ＰＣサイト２７は、インターネット１９を介してユーザのＰＣ２１に対してサイトサービスを提供する。
【００３５】
公式サイト２３、一般サイト２５およびＰＣサイト２７の各々は、ＷＥＢサーバ機能を有するサーバ装置によって実現される。このサーバ装置は、ＷＥＢサーバ機能によってインターネットに接続され、携帯電話１１やＰＣ２１にサイトサービスを提供するための通信を行う。サイトサービスでは、他のサイトとのリンクも提供される。また、サーバ装置は、図示のように統合ＩＤサービス提供システム１との通信機能も有している。
【００３６】
図１では、携帯電話１１、ＰＣ２１、公式サイト２３、一般サイト２５およびＰＣサイト２７が一つずつ示されている。しかし、実際には複数の携帯電話１１、複数のＰＣ２１、複数の公式サイト２３、複数の一般サイト２５および複数のＰＣサイト２７がインターネット１９に接続されることはもちろんである。また、図１では一つのキャリアの携帯電話局１７が示されているが、実際には複数のキャリアの携帯電話局１７がインターネット１９に接続される。
【００３７】
次に、図１および図２を参照し、本実施の形態の統合ＩＤサービス提供システム１について説明する。統合ＩＤサービス提供システム１は、図１に示されるように、本実施の形態に特徴的な統合識別情報（統合ＩＤ）を登録する統合ＩＤ登録サーバ３と、統合ＩＤ登録サーバ３によって登録された統合ＩＤを管理する統合ＩＤ管理サーバ５とを備えており、これらは互いに接続されている。また、これらのサーバは、一のコンピュータに備えられてもよい。
【００３８】
統合ＩＤ登録サーバ３は、上記のようにサービス提供対象の各ユーザのために統合ＩＤを登録する機能を有する。統合ＩＤは、ユーザ識別情報（ＵＩＤ）および端末識別情報（ＨＩＤ）とは別にユーザ毎に登録される。ここで、ＵＩＤは、既に説明したように、携帯電話キャリアにて各々のユーザに与えられた識別情報であり、公式サイト２３で利用される。また、ＨＩＤは、携帯電話毎に付けられた識別情報であり、主として、ＵＩＤを入手できない一般サイト２５にて利用される。本実施の形態では、これらＵＩＤおよびＨＩＤに加えて、さらに、統合ＩＤが登録される。
【００３９】
統合ＩＤ登録サーバ３はＷＥＢサーバの機能を有し、インターネット１９に接続され、インターネット１９を介して統合ＩＤ登録サービスを提供するように構成されている。より詳細には、統合ＩＤ登録サーバ３は、携帯電話サイトからのリンクが張られた統合ＩＤ登録サイトを提供する。そして、統合ＩＤ登録サーバ３は、携帯電話サイトにおいてリンクが選択されたときに携帯電話１１と接続されて、統合ＩＤ登録サイトにて統合ＩＤ登録サービスを携帯電話１１に提供する。
【００４０】
統合ＩＤ登録サーバ３は、図２に示されるように、統合ＩＤ新規登録部３１、関連ＩＤ追加登録部３３および関連ＩＤ変更登録部３５を有する。統合ＩＤ新規登録部３１、関連ＩＤ追加登録部３３および関連ＩＤ変更登録部３５は、統合ＩＤ登録サーバ３のＷＥＢサーバの機能を用いて統合ＩＤの登録関連のサービスを提供する。
【００４１】
統合ＩＤ新規登録部３１は、新規に統合ＩＤを登録する処理を行う。統合ＩＤ新規登録部３１は、統合ＩＤが未登録である未登録ユーザの携帯電話１１から統合ＩＤ登録要求を受け付ける。統合ＩＤ登録要求は、ＵＩＤおよびＨＩＤの少なくとも一方を含む。統合ＩＤ新規登録部３１は、統合ＩＤ登録要求に応えて新しい統合ＩＤを登録する処理を行う。ここでは、新しい統合ＩＤが、統合ＩＤ登録要求に含まれたＵＩＤ、ＨＩＤまたはその両方と共に、統合ＩＤ新規登録部３１の指示で統合ＩＤ管理サーバ５に記憶される。
【００４２】
関連ＩＤ追加登録部３３は、統合ＩＤがＵＩＤおよびＨＩＤの一方と共に既に登録された既登録ユーザについて、残りのＩＤを受け付けて既登録の統合ＩＤと関連づけて登録する。例えば、ＨＩＤと共に統合ＩＤが既に登録されているとする。そして、統合ＩＤとＵＩＤが受け付けられたとする。この場合、関連ＩＤ追加登録部３３は、ＵＩＤを統合ＩＤおよびＨＩＤと関連づけて登録する処理を行う。ＵＩＤは、関連ＩＤ追加登録部３３の指示により、統合ＩＤ管理サーバ５に記憶される。
【００４３】
関連ＩＤ変更登録部３５は、機種変更やキャリア変更が行われたときに機能して、統合ＩＤと関連するＨＩＤやＵＩＤを変更する。
【００４４】
関連ＩＤ変更登録部３５は、同一キャリア内で携帯電話１１の機種変更が行われたとき、機種変更後の携帯電話１１のＨＩＤを統合ＩＤと共に受け付け、統合ＩＤに関連づけられた機種変更前のＨＩＤを更新する。更新処理としては、関連ＩＤ変更登録部３５の指示で、統合ＩＤ管理サーバ５で管理しているＩＤ情報が書き換えられる。
【００４５】
また、関連ＩＤ変更登録部３５は、異なるキャリアへと携帯電話１１が変更されたときに、キャリア変更後の携帯電話１１のＵＩＤを統合ＩＤと共に受け付けて、統合ＩＤに関連づけて登録されたキャリア変更前のＵＩＤを更新する。更新処理としては、関連ＩＤ変更登録部３５の指示で、統合ＩＤ管理サーバ５で管理しているＩＤ情報が書き換えられる。
【００４６】
次に、統合ＩＤ管理サーバ５について説明する。統合ＩＤ管理サーバ５は、統合ＩＤをＵＩＤおよびＨＩＤと共に管理する。統合ＩＤ管理サーバ５は、これらＩＤと共に、公式サイト２３、一般サイト２５およびＰＣサイト２７で提供されたサイトサービスの履歴情報を一括管理するように構成されている。
【００４７】
統合ＩＤ管理サーバ５は、図２に示されるようにＩＤ履歴データベース４１を有している。ＩＤ履歴データベース４１は、各ユーザのＵＩＤ、ＨＩＤおよび統合ＩＤと、同ユーザに公式サイト２３、一般サイト２５およびＰＣサイト２７で提供されたサイトサービスの履歴情報とを関連づけて記憶する。
【００４８】
図３は、ＩＤ履歴データベース４１に記憶されるデータの例を示す図である。この例では、ＵＩＤが「ＸＸ０００１」であり、ＨＩＤが「ＡＢＣＤＡＢＣＤ」であり、統合ＩＤが「ｘｘｘｙｙｙ１１１１」である。また、履歴情報としては、公式サイト２３および一般サイト２５で提供されたサイトサービスの履歴が記録されている。図の例では、公式サイト２３は着信メロディ配信サイトであり、一般サイト２５はＳＮＳ（ソーシャルネットワーキングサイト）である。
【００４９】
図３に示すように、着信メロディを提供したときは、曲名と素材ＩＤが履歴情報として記録される。着信メロディはコンテンツの一例であり、そして、素材ＩＤは、コンテンツを一意に特定するコンテンツＩＤに相当する。この例に示したように、本実施の形態では、公式サイト２３、一般サイト２５やＰＣサイト２７がコンテンツ配信サイトである場合には、提供したコンテンツのコンテンツＩＤが履歴情報に含められる。
【００５０】
図３では、ＵＩＤ、ＨＩＤ、統合ＩＤと履歴情報が一つのテーブルで示されている。より詳細には、実際のシステムでは、図２に示されるように、ＩＤ履歴データベース４１が、ＩＤデータベース４３および履歴データベース４５といった２つのデータベースで構成されてよい。ＩＤデータベース４３は、各ユーザのＵＩＤ、ＨＩＤおよび統合ＩＤを関連づけて記憶するデータベースである。履歴データベース４５は、各ユーザの統合ＩＤと履歴情報を関連づけて記憶するデータベースである。したがって、これらデータベースを合わせると、図３の情報が得られる。例えば、ＵＩＤに対応する履歴情報を検索するときは、ＵＩＤに対応する統合ＩＤがＩＤデータベース４３から検索され、さらに、統合ＩＤに対応する履歴情報が履歴データベース４５から検索される。
【００５１】
統合ＩＤ管理サーバ５は、さらに、サイト通信部４７、履歴書込部４９、履歴提供部５１およびＩＤ提供部５３を有している。サイト通信部４７は、公式サイト２３、一般サイト２５およびＰＣサイト２７と通信する。通信には専用回線等が用いられてよい。
【００５２】
履歴書込部４９は、公式サイト２３や一般サイト２５およびＰＣサイト２７で提供されたサイトサービスの履歴情報をＩＤ履歴データベース４１に書き込む構成である。公式サイト２３や一般サイト２５といった携帯電話サイトからは、提供したサイトサービスの履歴情報が、ＵＩＤ、ＨＩＤおよび統合ＩＤの少なくとも一のＩＤと共に送られてくる。また、ＰＣサイト２７からは履歴情報が統合ＩＤと共に送られてくる。これら履歴情報はサイト通信部４７に受信され、履歴書込部４９に供給され、受け取ったＩＤおよび残りのＩＤと関連づくようにＩＤ履歴データベース４１に書き込まれる。
【００５３】
履歴提供部５１は、ＩＤ履歴データベース４１に記憶された履歴情報を公式サイト２３、一般サイト２５およびＰＣサイト２７に提供する構成である。公式サイト２３や一般サイト２５からは、ＵＩＤ、ＨＩＤおよび統合ＩＤのうちの少なくとも一のＩＤを含む履歴送信要求が送られてくる。また、ＰＣサイト２７からは統合ＩＤを含む履歴送信要求が送られてくる。この履歴送信要求がサイト通信部４７に受信され、履歴提供部５１に供給される。履歴提供部５１は、履歴送信要求に含まれるＩＤに該当する履歴情報をＩＤ履歴データベース４１から検索する。そして、履歴提供部５１は、検索した履歴情報を、履歴送信要求を送ってきたサイトへとサイト通信部４７を介して送信する。また、図示はしていないが、検索した履歴情報を公式サイト２３、一般サイト２５、ＰＣサイト２７へ送信する際に、履歴情報を表示するための画面を作成するサーバを経由して送信してもよい。
【００５４】
ＩＤ提供部５３は、公式サイト２３および一般サイト２５へとＩＤ履歴データベース４１に記憶されたＩＤを通知する構成である。各サイトからは、ＵＩＤ、ＨＩＤおよび統合ＩＤのうちの少なくとも一のＩＤを含むＩＤ送信要求が送られてくると、このＩＤ送信要求がサイト通信部４７に受信され、ＩＤ提供部５３に供給される。ＩＤ提供部５３は、ＩＤ送信要求に含まれるＩＤに該当する他のＩＤをＩＤ履歴データベース４１から検索する。ここでは、ＩＤ履歴データベース４１のＩＤデータベース４３が検索される。例えば、ＩＤ送信要求がＵＩＤを含んでいれば、ＨＩＤと統合ＩＤが検索される。ＩＤ送信要求に応じて、一つのＩＤ、例えば統合ＩＤのみが検索されてもよい。ＩＤ提供部５３は、検索したＩＤを、ＩＤ送信要求を送ってきたサイトへとサイト通信部４７を介して送信する。
【００５５】
ＩＤ提供部５３は、ＰＣサイト２７に対しても上記と同様にしてＩＤ送信要求に応えてＩＤを通知してよい。
【００５６】
以上に本実施の形態に係る統合ＩＤサービス提供システム１の各部構成について説明した。次に、具体例を参照して、統合ＩＤサービス提供システム１の動作を説明する。
【００５７】
図４は、統合ＩＤを新規に登録するときの処理の流れを示している。この例では、公式サイト２３への入会時に統合ＩＤが登録される。また、この例では、公式サイト２３が着信メロディ配信サイトである。
【００５８】
図４において、携帯電話１１が、公式サイト２３にアクセスして、公式サイト２３に入会すると共に着信メロディを購入したとする。公式サイト２３では、携帯電話１１のＵＩＤが取得され、ＵＩＤと共に、曲名とその素材ＩＤが記録される。なお、もちろん、入会と着信メロディの購入は同時でなくてもよい。
【００５９】
図示のように、公式サイト２３の携帯電話画面上では、さらに、統合ＩＤ関連のページが表示される。このページには、統合ＩＤ入力欄と統合ＩＤ登録ボタンが表示される。統合ＩＤ入力欄は、後述するように、既に統合ＩＤが登録されているときに使用される。ここでは、統合ＩＤが未登録なので、統合ＩＤ登録ボタンがクリックされる。
【００６０】
統合ＩＤ登録ボタンがクリックされると、公式サイト２３から張られたリンクにより、携帯電話１１は、統合ＩＤ登録サーバ３が提供する統合ＩＤ登録サイトへと接続される。統合ＩＤ登録サイトに接続されると、まず、図示のように、メール送信画面が起動して空メールが生成される。この空メールが統合ＩＤ登録サーバ３に送信され、統合ＩＤ登録サーバ３からの返信メールに統合ＩＤ登録ページへのリンクが表示される。このリンクがクリックされると、携帯電話１１が統合ＩＤ登録サイトと接続され、統合ＩＤが発行されて、携帯電話１１に表示される。統合ＩＤは携帯電話１１のＵＩＤおよびＨＩＤと紐付けて統合ＩＤ管理サーバ５のＩＤ履歴データベース４１にて管理される。
【００６１】
上記の過程で、統合ＩＤ登録サーバ３は、携帯電話１１からアクセスされることで、ＵＩＤとＨＩＤを含む統合ＩＤ登録要求を受け付ける。この統合ＩＤ登録要求に応えて、統合ＩＤ新規登録部３１により統合ＩＤが登録される。その結果、図示のように、統合ＩＤがＵＩＤおよびＨＩＤと共に登録される。
【００６２】
この例では、統合ＩＤ登録要求がＵＩＤとＨＩＤを含んでおり、最初から統合ＩＤがＵＩＤおよびＨＩＤと共に登録される。しかし、ＵＩＤのみを含む統合ＩＤ登録要求が受け付けられてよい。この場合、統合ＩＤの新規登録時点では、ＵＩＤのみが統合ＩＤと紐付けられる。
【００６３】
また、携帯電話１１が一般サイト２５にアクセスしたときも、同様にして統合ＩＤが登録される。ただし、一般サイト２５はＨＩＤを携帯電話１１から取得する。そこで、統合ＩＤ登録サーバ３でも、ＨＩＤを含む統合ＩＤ登録要求を受け付け、ＨＩＤと紐付けて新規の統合ＩＤを登録する。
【００６４】
以上のように、統合ＩＤ新規登録部３１は、公式サイト２３や一般サイト２５といった携帯電話サイトから、ＵＩＤおよびＨＩＤの少なくとも一方を含む統合ＩＤ登録要求を受け付けて統合ＩＤを新規に登録する。
【００６５】
なお、上記の例では、入会と同時に統合ＩＤが登録された。しかし、統合ＩＤのタイミングは任意であり、入会時でなくてよい。ユーザが統合ＩＤの登録を希望するときに統合ＩＤ登録ボタンを押すと、統合ＩＤが登録される。
【００６６】
また、公式サイト２３の統合ＩＤ登録ボタンは、統合ＩＤが未登録の場合にのみ表示されてよい。この場合、ユーザの統合ＩＤが登録済みか否かが公式サイト２３にて判断される。この判断のために、公式サイト２３は、ＵＩＤを含むＩＤ送信要求を統合ＩＤ管理サーバ５に送信する。統合ＩＤ管理サーバ５からＵＩＤに対応する統合ＩＤが返信されなければ、統合ＩＤが未登録であると判断される。この点は、一般サイト２５においても同様であるが、一般サイト２５においてはＨＩＤが用いられる。
【００６７】
また、上記の例では、公式サイト２３からのリンクによる統合ＩＤ登録サーバ３の統合ＩＤ登録サイトへの接続後に、空メールが送信され、それから統合ＩＤ登録サイトのリンクを表示したメールが返信されて、また統合ＩＤ登録サイトへの接続が行われた。この一連の処理は、携帯電話１１から電子メールアドレスを入手するために行われている。空メールを利用することで、ユーザが電子メールアドレスを入力する手間が省かれる。
【００６８】
また、図示されないが、統合ＩＤの登録処理では、統合ＩＤの希望がユーザの携帯電話１１から受け付けられてよい。この場合、希望する統合ＩＤが統合ＩＤ登録サーバ３から統合ＩＤ管理サーバ５に送られる。統合ＩＤ管理サーバ５では、希望する統合ＩＤと同一の統合ＩＤが存在するか否かが調べられる。同一の統合ＩＤが無ければ、希望する統合ＩＤがそのまま統合ＩＤ管理サーバ５で記憶される。同一の統合ＩＤが既に登録されている場合、その旨が統合ＩＤ登録サーバ３に伝えられる。統合ＩＤ登録サーバ３は、携帯電話１１から別の統合ＩＤの希望を受け付ける。
【００６９】
なお、上記の例と異なり、既登録の統合ＩＤと重複しない統合ＩＤが自動的に生成され、ユーザに通知されてもよい。
【００７０】
また、図示されないが、パスワードも統合ＩＤと共に登録される。パスワードも、統合ＩＤの希望と共に携帯電話１１から受け付けられ、統合ＩＤと紐付けて統合ＩＤ管理サーバ５に記憶される。
【００７１】
以上に統合ＩＤの新規登録処理について説明した。統合ＩＤが登録されると、統合ＩＤ管理サーバ５での統合ＩＤの管理が開始する。図示のように、公式サイト２３からはＵＩＤと共に履歴情報が統合ＩＤ管理サーバ５へ送られ、履歴情報はＵＩＤなどと関連づけて統合ＩＤ管理サーバ５のＩＤ履歴データベース４１に書き込まれる。図の例では、履歴情報は、公式サイト２３への入会記録と、公式サイト２３での着信メロディの購入記録である。
【００７２】
図５は、統合ＩＤに紐付けられるべきＵＩＤまたはＨＩＤを追加するときの処理の流れを示している。この例では、ユーザは既に一般サイト２５に入会している。一般サイト２５はＳＮＳである。統合ＩＤ管理サーバ５のＩＤ履歴データベース４１では、統合ＩＤがＨＩＤと紐付けてすでに登録されており、履歴情報としてはＳＮＳへの入会が記録されている。しかし、ＵＩＤはまだ登録されていない。
【００７３】
携帯電話１１は、公式サイト２３にアクセスして、公式サイト２３に入会すると共に着信メロディを購入したとする。公式サイト２３では、携帯電話１１のＵＩＤが取得され、ＵＩＤと共に、曲名とその素材ＩＤが記録される。
【００７４】
この際、公式サイト２３の携帯電話画面上には、図４と同様の統合ＩＤ関連のページが表示される。ここでは、統合ＩＤが登録済みなので、統合ＩＤ入力欄に統合ＩＤが入力される。統合ＩＤは手動操作で入力される。
【００７５】
統合ＩＤが入力されると、公式サイト２３からのリンクによって、携帯電話１１は統合ＩＤ登録サーバ３に接続される。統合ＩＤ登録サーバ３では、関連ＩＤ追加登録部３３が、携帯電話１１から統合ＩＤとＵＩＤを受け付けて、ＵＩＤを統合ＩＤと紐付けて追加で登録する。この際、関連ＩＤ追加登録部３３は、統合ＩＤとＵＩＤを統合ＩＤ管理サーバ５に伝えて、ＵＩＤの追加を指示する。統合ＩＤ管理サーバ５では、統合ＩＤがＩＤ履歴データベース４１から検索されて、統合ＩＤと関連づけてＵＩＤを記録する。
【００７６】
ＵＩＤが登録されると、公式サイト２３から履歴情報がＵＩＤと共に統合ＩＤ管理サーバ５に送信される。この履歴情報がＵＩＤ等と関連づけてＩＤ履歴データベース４１に記録される。図の例では、公式サイト２３への入会と着信メロディの購入が記録されている。
【００７７】
上記の例では、先にＨＩＤと統合ＩＤのみが記録されていて、ＵＩＤが追加された。逆に、ＵＩＤと統合ＩＤのみが記録されていて、ＨＩＤが追加されてもよい。
【００７８】
図６は、ＭＮＰによってＵＩＤが変わったときの処理の流れを示している。ＭＮＰでは、携帯電話キャリアの変更の際に携帯電話番号は引き継がれるが、ＵＩＤは変わってしまう。図の例では、ＵＩＤが「ＸＸ０００１」から「ＹＹ９９９９」に変わる。
【００７９】
キャリア変更後の携帯電話１１が、キャリア変更前にユーザが入会していた公式サイト２３にアクセスし、着信メロディを購入したとする。公式サイト２３は、キャリア変更後のＵＩＤを取得し、着信メロディの購入を記録する。
【００８０】
さらに、キャリア変更後の携帯電話１１の画面上には、図４と同様の統合ＩＤ関連のページが表示される。ここでは、キャリア変更前の携帯電話１１を用いて既に統合ＩＤが登録されているので、統合ＩＤ入力欄に統合ＩＤが入力される。
【００８１】
統合ＩＤが入力されると、公式サイト２３からのリンクによって、携帯電話１１は統合ＩＤ登録サーバ３に接続される。統合ＩＤ登録サーバ３では、関連ＩＤ変更登録部３５が、キャリア変更後のＵＩＤを統合ＩＤと共に受け付けて、統合ＩＤと関連づけられたキャリア変更前のＵＩＤを更新する処理を行う。この際、関連ＩＤ変更登録部３５は、統合ＩＤとＵＩＤを統合ＩＤ管理サーバ５に伝えて、ＵＩＤの変更を指示する。統合ＩＤ管理サーバ５では、統合ＩＤがＩＤ履歴データベース４１から検索されて、統合ＩＤと関連づけられたＵＩＤが更新される。
【００８２】
公式サイト２３からは更新後のＵＩＤと共に履歴情報が統合ＩＤ管理サーバ５に送られる。そして、更新後のＵＩＤ等と関連づけて履歴情報が保存される。図の例では、履歴情報は、キャリア変更後の携帯電話１１を使った着信メロディの購入記録である。
【００８３】
また、キャリア変更前のサイトサービスの履歴情報もキャリア変更時に引き継がれる。これにより重複サービスを避けられる。例えば、キャリア変更前にダウンロードした着信メロディを、キャリア変更後に再度ダウンロードしたとする。この場合、着信メロディの購入履歴が残っているので、再度の課金を避けられる（なお、更新後のＵＩＤを使って再ダウンロードサービスを提供できるので、統合ＩＤの入力は不要である）。
【００８４】
なお、キャリア変更時は、ＵＩＤだけでなくＨＩＤも変わる。しかし、図６の例では、ＵＩＤは更新されているが、ＨＩＤは更新されていない。ＨＩＤは、後にキャリア変更後の携帯電話１１が一般サイト２５にアクセスしたときに更新されてよい。また、ＵＩＤと同時にＨＩＤも携帯電話１１から入手され、更新されてよい。
【００８５】
また、キャリア変更ではなく、同一キャリア内の機種変更が行われることもある。この場合、携帯電話番号とＵＩＤは変わらないが、ＨＩＤは変わってしまう。そこで、上記と同様の処理によってＨＩＤが更新される。すなわち、ＨＩＤが統合ＩＤと共に統合ＩＤ登録サーバ３に受け付けられて、統合ＩＤ管理サーバ５のＨＩＤが更新される。この処理も統合ＩＤ登録サーバ３の関連ＩＤ変更登録部３５により行われる。
【００８６】
以上に、統合ＩＤなどの登録関連の動作を説明した。次に、統合ＩＤ管理サーバ５でＩＤや履歴情報を一括管理する動作について説明する。
【００８７】
図７の例を参照すると、携帯電話１１のユーザは、公式サイト２３と一般サイト２５に入会している。この例でも、公式サイト２３は着信メロディ配信サイトであり、一般サイト２５はＳＮＳである。
【００８８】
公式サイト２３は、携帯電話１１にサイトサービスを提供するときにＵＩＤを用いてユーザを特定する。そして、公式サイト２３は、提供したサイトサービスの履歴情報をＵＩＤと共に統合ＩＤ管理サーバ５に送信する。一方、一般サイト２５は、携帯電話１１にサイトサービスを提供するときにＨＩＤを用いてユーザを特定する。そして、一般サイト２５は、提供したサイトサービスの履歴情報をＨＩＤと共に統合ＩＤ管理サーバ５に送信する。統合ＩＤ管理サーバ５では、履歴情報がＵＩＤ、ＨＩＤおよびそれらに対応する統合ＩＤと関連づくようにＩＤ履歴データベース４１に記録される。
【００８９】
上記のようにして、公式サイト２３や一般サイト２５で提供されたサイトサービスの履歴情報が統合ＩＤ管理サーバ５に集められ、蓄積される。蓄積された履歴情報は以下のようにして活用される。
【００９０】
公式サイト２３は、携帯電話１１からアクセスされてＵＩＤを入手すると、ＵＩＤを含む履歴送信要求を統合ＩＤ管理サーバ５に送る。統合ＩＤ管理サーバ５は、履歴送信要求のＵＩＤに該当する履歴情報を検索して、公式サイト２３に提供する。このとき、一般サイト２５から送られて統合ＩＤ管理サーバ５に蓄積された履歴情報も検索され、公式サイト２３に送られる。
【００９１】
同様に、一般サイト２５は、携帯電話１１からアクセスされてＨＩＤを入手すると、ＨＩＤを含む履歴送信要求を統合ＩＤ管理サーバ５に送る。統合ＩＤ管理サーバ５は、履歴送信要求のＨＩＤに該当する履歴情報を検索して、一般サイト２５に提供する。このとき、公式サイト２３から送られて統合ＩＤ管理サーバ５に蓄積された履歴情報も検索され、一般サイト２５に送られる。
【００９２】
このように、公式サイト２３や一般サイト２５は、履歴送信要求を送ることで、自分のサイトで提供したサイトサービスの履歴情報以外に、他のサイトで提供されたサイトサービスの履歴情報を入手でき、この履歴情報を使ってシームレスなサービスを提供することができる。例えば、配信された着信メロディの履歴情報を基に、他のサイトでおすすめの曲等の情報を配信することができる。
【００９３】
なお、上記の例では、公式サイト２３は履歴情報や履歴送信要求を送るときに、専らＵＩＤを送っている。しかし、本発明はこれに限定されず、公式サイト２３は、ＵＩＤ、ＨＩＤおよび統合ＩＤの少なくとも一つを送ってよい（公式サイト２３はＵＩＤだけでなくＨＩＤも入手可能である）。また、一般サイト２５は専らＨＩＤを送っているが、本発明はこれに限定されず、一般サイト２５はＨＩＤおよび統合ＩＤの少なくとも一つを送ってよい。このように携帯電話サイトは、履歴情報や履歴送信要求を送るとき、ＵＩＤ、ＨＩＤおよび統合ＩＤの少なくとも一つを送ればよい。少なくとも一つのＩＤが通信されれば、統合ＩＤ管理サーバ５ではＩＤを使った履歴管理を行える。
【００９４】
この点に関して説明を加えると、本実施の形態では、上述のように公式サイト２３や一般サイト２５は基本的にはＵＩＤやＨＩＤのみをキーにして処理を行う。しかし、個人情報を扱う処理等を行う場合には、統合ＩＤの入力を公式サイト２３や一般サイト２５から携帯電話１１に要求することがセキュリティ対策として効果的である。この場合に、統合ＩＤと共に登録されたパスワードの入力も要求されてよい。そして、これら統合ＩＤおよびパスワードも公式サイト２３や一般サイト２５から統合ＩＤ管理サーバ５に送られる。これら情報を用いて認証等を行うことができる。
【００９５】
図８は、公式サイト２３、一般サイト２５およびＰＣサイト２７といった各種のサイトからの履歴情報の閲覧処理を示す図である。公式サイト２３や一般サイト２５がＵＩＤやＨＩＤを用いて統合ＩＤ管理サーバ５の履歴情報を閲覧できることは既に述べた通りであるが、本実施の形態では、さらにＰＣサイト２７も統合ＩＤを用いることにより統合ＩＤ管理サーバ５の履歴情報を閲覧できる。
【００９６】
より詳細には、ＰＣサイト２７は、携帯電話ユーザのＰＣ２１からのアクセスを受け付け、ＰＣ２１に統合ＩＤの入力を要求し、入力された統合ＩＤを受け付ける。そして、ＰＣサイト２７は、統合ＩＤを含む履歴送信要求を統合ＩＤ管理サーバ５に送る。統合ＩＤ管理サーバ５では、統合ＩＤに該当する履歴情報が履歴提供部５１により検索されて、ＰＣサイト２７に返される。これにより、ＰＣサイト２７は、携帯電話ユーザの携帯電話１１へ公式サイト２３や一般サイト２５から提供されたサイトサービスの履歴情報を入手でき、この履歴情報に基づいたサイトサービスを携帯電話ユーザのＰＣ２１へと提供できる。
【００９７】
ＰＣサイト２７がＰＣ２１へ提供したサイトサービスの履歴情報も統合ＩＤ管理サーバ５に管理される。この場合、ＰＣサイト２７は、履歴情報を統合ＩＤと共に統合ＩＤ管理サーバ５に送信する。この履歴情報が統合ＩＤなどと関連づけてＩＤ履歴データベース４１に記録される。これにより、ＰＣサイト２７の履歴情報を公式サイト２３や一般サイト２５から閲覧可能になる。
【００９８】
また、ＰＣサイト２７がコンテンツ配信サイトである場合、公式サイト２３等がコンテンツ配信サイトである場合と同様、統合ＩＤ管理サーバ５に蓄積される履歴情報には、提供したコンテンツを一意に特定するコンテンツＩＤ（本実施の形態では素材ＩＤ）が含められる。
【００９９】
次に、図９は、本実施の形態により実現されるシームレスなサービスの具体例を示している。図９の例では、統合ＩＤ管理サーバ５のＩＤ履歴データベース４１には、公式サイト２３や一般サイト２５で提供されたサイトサービスの履歴情報が既に記録されている。ここでも、公式サイト２３が着信メロディ配信サイトであり、一般サイト２５がＳＮＳである。そして、図９の例では、公式サイト２３のサイトサービスの履歴情報が、ＰＣサイト２７によって利用される。
【０１００】
ＰＣサイト２７は、音楽、画像等のＰＣ素材を配信するダウンロードサイトである。ＰＣ素材は、例えば、楽曲データ（曲全体のデータ）である。また、ＰＣ素材は画像データでもよい。画像データは、例えばＣＤジャケット写真のデスクトップ用壁紙である。また例えば、ＰＣ素材は歌詞のテキストデータでもよい。ＰＣサイト２７は、いろいろな曲についてのＰＣ素材を記憶した素材データベースを有している。
【０１０１】
ＰＣサイト２７は、ＰＣ２１からアクセスされて、統合ＩＤを受け付ける。統合ＩＤを含む履歴送信要求が統合ＩＤ管理サーバ５に送られて、統合ＩＤ管理サーバ５から履歴情報がＰＣサイト２７に提供される。これにより、ＰＣサイト２７は、公式サイト２３で配信された着信メロディの曲名と素材ＩＤを入手する。
【０１０２】
ＰＣサイト２７は、公式サイト２３で配信された着信メロディの曲名のリストを表示する。リスト中の各曲名の横には曲名選択用のダウンロードボタンが表示される。ダウンロードボタンをクリックされると、選択された曲名に対応する素材ＩＤに対応するＰＣ素材が素材データベースから検索されて、ＰＣ２１にダウンロードされる。
【０１０３】
このようにして、ＰＣサイト２７は、統合ＩＤ管理サーバ５の履歴情報を活用することにより、公式サイト２３で提供された着信メロディに関連するＰＣ素材を携帯電話ユーザのＰＣ２１に提供することができる。このとき、公式サイト２３で購入した着信メロディの曲名リストがＰＣサイト２７で表示されるので、ユーザは、曲名の入力を繰り返さずとも、購入した着信メロディに対応するＰＣ素材を容易に入手できる。
【０１０４】
図１０は、本実施の形態により実現されるシームレスなサービスの別の具体例を示している。図１０の例では、携帯電話１１が、公式サイト２３であるＥＣサイトへアクセスする。ＥＣサイトでは、ＣＤと、そのＣＤの収録曲の着信メロディとが一緒に購入される。ＥＣサイトは、ＵＩＤと共に、ＣＤ購入と着信メロディ購入の履歴情報を統合ＩＤ管理サーバ５に送信し、統合ＩＤ管理サーバ５では履歴情報が記憶される。
【０１０５】
ＥＣサイトでは、さらに、図示のように着信メロディのダウンロードサイトへのリンクが表示される。このリンクがクリックされると、携帯電話１１は着信メロディのダウンロードサイトへ接続され、このときに本実施の形態の統合ＩＤ管理サービスが引き継がれる。着信メロディのダウンロードサイトが一般サイト２５であったとすると、ＨＩＤを含む履歴送信要求がダウンロードサイトから統合ＩＤ管理サーバ５に送られる。そして、履歴送信要求に応えて履歴情報がダウンロードサイトに提供される。このとき、ＥＣサイトでの着信メロディ購入の履歴情報が提供され、この履歴情報に基づいて、購入された着信メロディが携帯電話１１にダウンロードされる。こうして、同じ曲のＣＤと着信メロディを容易に購入できる。このとき、複数の携帯電話サイトを利用しているにも拘わらず、前のサイトの履歴が後のサイトで利用されるので、曲名を何度も入力するなどの手間が省くことができる。
【０１０６】
図１１および図１２は、本実施の形態により実現されるシームレスなサービスの別の具体例を示している。この例では、図１１にて、公式サイト２３から着信メロディが購入され、続いて、図１２にて、購入した着信メロディの情報が一般サイト２５のＳＮＳ日記に貼り付けられる。
【０１０７】
図１１では、携帯電話１１が公式サイト２３にアクセスして曲を購入すると、公式サイト２３は、ＵＩＤと共に着信メロディ購入の履歴情報を統合ＩＤ管理サーバ５に送る。履歴情報は曲名と素材ＩＤを含む。統合ＩＤ管理サーバ５では、ＵＩＤなどと関連づけて着信メロディ購入の履歴情報が記憶される。
【０１０８】
公式サイト２３の画面では、「ダウンロード」ボタンと共に「日記に貼り付け」ボタンが表示される。このボタンがクリックされると、リンクによって携帯電話１１はＳＮＳの一般サイト２５に接続される。このとき、統合ＩＤが公式サイト２３から一般サイト２５に引き継がれる。
【０１０９】
図１２に示されるように、一般サイト２５は、引き継いだ統合ＩＤに対応するＨＩＤを取得する。このとき、統合ＩＤを含むＩＤ送信要求が統合ＩＤ管理サーバ５に送られる。統合ＩＤ管理サーバ５では、ＩＤ送信要求に含まれる統合ＩＤに対応するＨＩＤが検索されて、一般サイト２５に提供される。この処理はＩＤ提供部５３により行われる。
【０１１０】
一般サイト２５は、さらに、ＨＩＤを含む履歴送信要求を統合ＩＤ管理サーバ５に送る。統合ＩＤ管理サーバ５では、履歴送信要求に含まれるＨＩＤに対応する履歴情報が検索されて、一般サイト２５に送られる。これにより、公式サイト２３での着信メロディ配信の履歴情報も一般サイト２５に提供される。
【０１１１】
上記の例では、まず、引き継がれた統合ＩＤを含むＩＤ送信要求に応答して統合ＩＤ管理サーバ５からＨＩＤが提供され、それから、ＨＩＤを含む履歴送信要求に応えて統合ＩＤ管理サーバ５から着信メロディ配信の履歴情報が提供された。別の例では、統合ＩＤを含んだＩＤ送信要求と履歴送信要求が同時に受け付けられて、これら要求に応えて、統合ＩＤに対応するＨＩＤと着信メロディ配信の履歴情報が統合ＩＤ管理サーバ５から一般サイト２５に提供されてもよい。この処理でも、ＨＩＤと着信メロディ配信の履歴情報を一般サイト２５に入手させることができる。
【０１１２】
一般サイト２５は、公式サイト２３からのリンクにより接続された携帯電話１１に対して、上記のようにして取得したＨＩＤと着信メロディ配信の履歴情報を使ってＳＮＳサービスを提供する。一般サイト２５は、ＨＩＤを基に会員を特定し、特定した会員の日記画面を携帯電話１１に提示する。日記画面中には、着信メロディのダウンロードサイトへのリンクも貼り付けられる。
【０１１３】
このようにして本実施の形態によれば公式サイト２３で購入された着信メロディの情報を一般サイト２５のＳＮＳ日記に自動的に貼り付けることができ、両サイトでシームレスなサービスが提供される。
【０１１４】
最後に、本実施の形態の統合ＩＤサービス提供システム１によって実現可能になるライセンス販売について説明する。ここでは、ライセンスの対象の例として曲（音楽）を取り上げる。
【０１１５】
上述の実施の形態において、図７の例では、公式サイト２３によりコンテンツとして着信メロディが配信された。また、図９の例では、ＰＣサイト２７により、コンテンツとして曲関連のＰＣ素材（曲全体の楽曲データや、その他の画像、テキストなど）が配信された。これらに代表されるように、複数の携帯電話サイト（公式サイト２３および一般サイト２５）や複数のＰＣサイト２７がコンテンツ配信サイトとして各種のコンテンツを配信する。そして、同じ曲に関する異なるコンテンツが別々のサイトで同一ユーザに提供されることもある。このような場合に、従来は単に各々のサイトでコンテンツが個別に販売されていた。こうした従来のコンテンツ販売と異なり、本実施の形態では、統合ＩＤサービス提供システム１の履歴情報を利用してライセンス販売を行うことができる。
【０１１６】
ライセンス販売では、典型的には一のサイトにてあるライセンス対象のコンテンツをユーザに最初に配信する時点の処理でライセンスが販売される。その後、他のサイトが、同一ユーザに同じライセンス対象についての異なるコンテンツを配信するとき、統合ＩＤサービス提供システム１の履歴情報が閲覧される。これにより、同じライセンス対象の別のコンテンツを別のサイトで配信済みであることが分かり、したがって、ライセンスが既に販売されたことを把握できる。そして、他のサイトは、販売済みのライセンス対象についての他の形式のコンテンツを配信する。
【０１１７】
図７の例では、公式サイト２３により「曲１」の着信メロディが購入されている。このときに対象ユーザに対して初めて「曲１」関連のコンテンツが配信されたとすると、ライセンス販売を適用する場合、上記の「曲１」の着信メロディの購入時点でライセンスが販売される。その後、他の携帯電話サイト（公式サイト２３でも一般サイト２５でもよい）が同一ユーザにコンテンツ配信サービスを提供するときに、履歴送信要求に応えて同ユーザの履歴情報が統合ＩＤサービス提供システム１から提供される。この履歴情報から、他の携帯電話サイトは、「曲１」のライセンスが販売済みであることを把握して、「曲１」についての様々な形式のコンテンツを配信する。
【０１１８】
さらに、図９の例では、既に説明したように公式サイト２３で「曲１」の着信メロディが配信された後、ＰＣサイト２７で「曲１」のＰＣ素材が配信される。このときも、ＰＣサイト２７からの履歴送信要求に応えて履歴情報が統合ＩＤサービス提供システム１からＰＣサイト２７に提供される。そこで、ＰＣサイト２７は、「曲１」のライセンスが販売済みであることが把握して、「曲１」についてのコンテンツを配信する。
【０１１９】
上記の例では、携帯電話サイトが「曲１」のコンテンツを最初に配信しており、この際にライセンスが販売された。これに対して、ＰＣサイトが最初にコンテンツを配信する場合には、その時点でライセンスが販売されてよい。その後に他のＰＣサイトや携帯電話サイトから、統合ＩＤサービス提供システム１の履歴情報に基づいてコンテンツが配信される。
【０１２０】
また、上記の例では、曲についてのライセンスが販売された。しかし、ライセンスの対象は曲に限定されなくてよい。
【０１２１】
また、上記の例では、一のサイトにてあるライセンス対象のコンテンツを最初にユーザに配信するときにライセンスが販売された。しかし、コンテンツを提供しなくても、ライセンスのみをサイトサービスで販売することも可能である。このライセンス販売の履歴が統合ＩＤ管理サーバ５に記憶され、コンテンツ配信サイトに提供される。
【０１２２】
以上に説明したように、本実施の形態によれば、統合ＩＤサービス提供システム１の履歴情報を利用することで、より詳しくは統合ＩＤ管理サーバ５が履歴情報を蓄積し提供する機能を利用することで、ライセンス販売の履歴情報を各サイトに提供できる。これにより、同じ曲などについての異なるコンテンツが異なるサイトで提供される状況でも、ライセンス販売を実現できる。ライセンス販売の実現により、ユーザは、所望の曲などについて、一回ライセンスを購入すると、多様なコンテンツをいろいろなサイトから入手して楽しむことができ、これにより、複数のサイトが一緒になってユーザに便利なサービスを提供できる。
【０１２３】
以上に本発明の好適な実施の形態について説明した。上述の実施の形態では、統合ＩＤ登録サーバ３および統合ＩＤ管理サーバ５がそれぞれ本発明の統合ＩＤ登録手段および統合ＩＤ管理手段に相当する。統合ＩＤ管理サーバ５においては、サイト通信部４７、ＩＤ履歴データベース４１、履歴書込部４９および履歴提供部５１が、本発明のサイト通信手段、ＩＤ履歴記憶手段、履歴書込手段および履歴提供手段に相当する。
【０１２４】
本発明によれば、上述したように、ＵＩＤおよびＨＩＤとは別にサービス対象の携帯電話ユーザ毎に固有の統合ＩＤが統合ＩＤ登録手段により登録され、この統合ＩＤがＵＩＤおよびＨＩＤと共に統合ＩＤ管理手段により管理される。統合ＩＤ管理手段では、ＵＩＤ、ＨＩＤおよび統合ＩＤと関連づけて携帯電話サイトで携帯電話に提供されたサイトサービスの履歴情報が記憶される。そして、携帯電話サイトからの履歴送信要求に応えて、統合ＩＤ管理手段に記憶された履歴情報が提供される。
【０１２５】
このようにして、本発明によれば、公式サイトや一般サイトといった各種携帯電話サイトで同一ユーザに提供されたサイトサービスの履歴情報が、統合ＩＤ管理手段に集められて、ＵＩＤ、ＨＩＤおよび統合ＩＤと関連づけて一括管理される。これにより、図７等を用いて説明したように、公式サイトおよび一般サイトが共通の履歴情報を利用可能になり、他のサイトで同一ユーザに提供されたサービスの履歴を把握でき、この履歴に基づいてシームレスなサービスを提供可能になる。
【０１２６】
また、本発明によれば、図６を用いて説明したように、ＵＩＤおよびＨＩＤが統合ＩＤと共に管理されるので、ＭＮＰによってＵＩＤが変わったとしても、統合ＩＤを頼りにＵＩＤを更新でき、統合ＩＤ管理手段に管理されたサービス履歴の情報も引き続き利用できる。したがって、ＵＩＤが変更されたことによるサイト再入会や重複サービスといった弊害がＭＮＰ導入に伴って生じるのを回避することができる。
【０１２７】
また、本発明によれば、上記のように各種携帯電話サイトで同一ユーザに提供されたサイトサービスの履歴情報が一括管理される。これにより、同一曲等の同一のライセンス対象に対応する複数のコンテンツが複数の携帯電話サイトで提供されることを把握でき、したがって、ライセンス販売が可能になる。
【０１２８】
また、本発明によれば、図４を用いて説明したように、登録ＩＤ登録手段は、携帯電話サイトからのリンクが張られた統合ＩＤ登録サイトを提供するように構成され、携帯電話サイトにおいてリンクが選択されたときに携帯電話と接続されて、統合ＩＤ登録サイトにて統合ＩＤ登録サービスを携帯電話に提供する。これにより、統合ＩＤの登録を容易に行うことができる。
【０１２９】
また、上記の実施の形態では統合ＩＤ新規登録部３１が本発明の統合ＩＤ新規登録手段に相当しており、統合ＩＤ新規登録手段を設けたことにより統合ＩＤの新規登録を好適に行うことができる。
【０１３０】
また、上記の実施の形態では関連ＩＤ追加登録部３３が本発明の関連ＩＤ追加登録手段に相当しており、関連ＩＤ登録手段を設けたことにより、ＵＩＤおよびＨＩＤの一方としか統合ＩＤが関連づけられていない場合に、他方のＩＤを統合ＩＤに好適に関連づけることができる。
【０１３１】
また、上記の実施の形態では関連ＩＤ変更登録部３５が本発明の関連ＩＤ変更登録手段に相当しており、関連ＩＤ変更登録手段を設けたことにより、同一キャリア内の機種変更時に、統合ＩＤと関連づけられたＨＩＤを適切に変更でき、サイト再入会や重複サービスを避けることができる。
【０１３２】
さらに、関連ＩＤ変更登録手段を設けたことにより、ＭＮＰによるキャリア変更時に、統合ＩＤと関連づけられたＵＩＤを適切に変更でき、サイト再入会や重複サービスを避けることができる。
【０１３３】
また、上述の実施の形態では統合ＩＤ管理サーバ５のＩＤ提供部５３が本発明のＩＤ提供手段に相当する。本発明によれば、ＩＤ提供手段を設けたことにより、ＩＤ送信要求を携帯電話サイトから受信すると、ＩＤ送信要求に対応するＩＤが検索されて携帯電話サイトに提供される。これにより、履歴情報を使う前のＩＤ確認等のサービスも携帯電話サイトに提供することができる。例えば、携帯電話サイトが携帯電話のＵＩＤを受け付けたときに、受け付けたＵＩＤに対応する統合ＩＤの確認が可能になる。
【０１３４】
また、上述の実施の形態で説明したように、本発明では、携帯電話サイトがコンテンツ配信サイトである場合に、提供されたコンテンツを一意に特定できるコンテンツＩＤ（実施の形態では素材ＩＤ）が履歴情報に含まれる。これにより、対象ユーザに過去に提供されたコンテンツに応じたサービスを提供することができる。また、同一のライセンス対象に対応する複数のコンテンツが複数の携帯電話サイトで提供されることを把握でき、したがって、ライセンス販売を好適に行える。
【０１３５】
また、本発明によれば、図９の例を用いて説明したように、ＰＣサイトから統合ＩＤを含む履歴送信要求が送信されたときも、履歴送信要求に含まれる履歴情報が検索されてＰＣサイトへ提供される。これにより、携帯電話ユーザのＰＣへも、携帯電話サイトでのサービスの履歴に基づいたサービスをＰＣサイトから提供できる。このようにして、本発明によれば、統合ＩＤを使うことで携帯電話サイトとＰＣサイトが共通の履歴を利用でき、携帯電話サイトとＰＣサイトに跨ったシームレスなサービスを提供できる。
【０１３６】
また、本発明によれば、ＰＣサイトで携帯電話のユーザが操作するＰＣに提供されたサイトサービスの履歴情報が統合ＩＤと共に受信されると、この履歴情報も統合ＩＤ管理手段に記憶される。これにより、ＰＣサイトで提供されたサービスの情報も、統合ＩＤを使って本システムに履歴情報として記憶される。したがって、ＰＣサイトで提供されたサービスの履歴も携帯電話サイトに供給可能になり、この履歴情報を使ったシームレスなサービスを携帯電話サイトで提供できる。
【０１３７】
また、本発明によれば、ＰＣサイトがコンテンツ配信サイトである場合にも、コンテンツＩＤが履歴情報に含まれる。これにより、対象ユーザに過去にＰＣサイトで提供されたコンテンツに応じたサービスも提供することができる。ＰＣサイトで先に提供されたコンテンツについても、ライセンス販売を好適に行える。
【０１３８】
また、本発明によれば、図１１および図１２の例を用いて説明したように、第１の携帯電話サイトと第２の携帯サイトにリンクが張られ、第１の携帯電話サイトから第２の携帯電話サイトへとサービスが移行する（図の例では公式サイト２３が第１の携帯電話サイトであり、一般サイト２５が第２の携帯電話サイトである）。この際、第１の携帯電話サイトで提供された第１のサイトサービスの履歴情報が統合ＩＤ管理手段に記憶され、そして、第２の携帯電話サイトからの要求に応えて提供される。これにより第２の携帯電話サイトが、第１の携帯電話サイトで同一ユーザに提供したサービスの履歴を利用でき、両サイトがシームレスなサービスを提供可能になる。
【０１３９】
また、本発明によれば、図９の例を用いて説明したように、携帯電話サイト（図９では公式サイト２３）で提供された第１のサイトサービスの履歴情報が統合ＩＤ管理手段に記憶される。そして、ＰＣサイト２７からの要求に応えて、上記の第１のサイトサービスの履歴情報が提供される。このようにして、携帯電話サイトで提供されたサービスの履歴が統合ＩＤを利用してＰＣサイトに供給され、これにより、携帯電話サイトでのサービスの履歴がＰＣサイトで利用可能になり、携帯電話サイトとＰＣサイトでシームレスなサービスを提供可能になる。
【０１４０】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１４１】
以上のように、本発明にかかる統合ＩＤサービス提供システムは、携帯電話サイトやＰＣサイトと通信を行ってサイトサービスの情報を管理する技術として有用である。
【図面の簡単な説明】
【０１４２】
【図１】本発明の実施の形態に係る統合ＩＤサービス提供システムを同システムに関連する各種構成と共に示す図である。
【図２】本実施の形態に係る統合ＩＤサービス提供システムのブロック図である。
【図３】統合ＩＤ管理サーバに設けられるＩＤ履歴データベースを示す図である。
【図４】統合ＩＤの新規登録時の処理の流れを示す図である。
【図５】統合ＩＤに関連するＵＩＤまたはＨＩＤの追加登録時の処理の流れを示す図である。
【図６】ＭＮＰのキャリア変更に伴い統合ＩＤに関連するＵＩＤの変更登録をする時の処理の流れを示す図である。
【図７】統合ＩＤ管理サーバによる公式サイトと一般サイトのための履歴管理機能を示す図である。
【図８】公式サイト、一般サイトおよびＰＣサイトからの統合ＩＤ管理サーバの履歴閲覧を示す図である。
【図９】携帯電話サイトとＰＣサイトのシームレスなサービスの例を示す図である。
【図１０】複数の携帯電話サイトでのシームレスなサービスの例を示す図である。
【図１１】複数の携帯電話サイトでのシームレスなサービスの例を示す図である。
【図１２】複数の携帯電話サイトでのシームレスなサービスの例を示す図である。
【図１３】従来の公式サイトと一般サイトによる会員管理を示す図である。
【符号の説明】
【０１４３】
１  統合ＩＤサービス提供システム
３  統合ＩＤ登録サーバ
５  統合ＩＤ管理サーバ
１１  携帯電話
１３  基地局
１５  携帯電話網
１７  携帯電話局
１９  インターネット
２１  ＰＣ
２３  公式サイト
２５  一般サイト
２７  ＰＣサイト
３１  統合ＩＤ新規登録部
３３  関連ＩＤ追加登録部
３５  関連ＩＤ変更登録部
４１  ＩＤ履歴データベース
４３  ＩＤデータベース
４５  履歴データベース
４７  サイト通信部
４９  履歴書込部
５１  履歴提供部
５３  ＩＤ提供部
【図１】
2008084122.tif 000003
【図２】
2008084122.tif 000004
【図３】
2008084122.tif 000005
【図４】
2008084122.tif 000006
【図５】
2008084122.tif 000007
【図６】
2008084122.tif 000008
【図７】
2008084122.tif 000009
【図８】
2008084122.tif 000010
【図９】
2008084122.tif 000011
【図１０】
2008084122.tif 000012
【図１１】
2008084122.tif 000013
【図１２】
2008084122.tif 000014
【図１３】
2008084122.tif 000015